(57)【要約】【課題】サーバとＦＰＤとの間の電源・信号ケーブルの見栄えの良い引き回しと、電源・信号ケーブルによる高周波ノイズの電磁輻射が少ない映像表示装置を提供する。【解決手段】映像表示装置１は、フラットパネルディスプレイ（ＦＰＤ）３とサーバ２との間が、電源・信号ケーブル５で接続されている。ＦＰＤ３は、左右側面にコネクタ１５Ｌ，１５Ｒを備えている。コネクタ１５Ｌ，１５Ｒの映像用および音声用の信号端子は信号線ＳｖＬ，ＳｖＲ，ＳａＬ，ＳａＲでＳＷ回路３３と接続され、ＳＷ回路３３から信号線Ｓｖ，Ｓａにより映像信号や音声信号が映像信号受信部３４、音声信号受信部３５にそれぞれ出力される。制御部３２はコネクタ１５Ｌ，１５Ｒ内のコネクタ検出端子１５ａによりコネクタ１５Ｌ，１５Ｒの内のどちらに電源・信号ケーブル５が接続されているか判定して、ＳＷ回路３３に信号線ＳｖＬ，ＳｖＲ，ＳａＬ，ＳａＲを選択接続させる。【選択図】図１
2008310088.tif 000002
【特許請求の範囲】
【請求項１】
画像情報を表示するフラットパネルディスプレイと、画像情報を前記フラットパネルディスプレイに出力する画像情報出力装置を含み、該画像情報出力装置と前記フラットパネルディスプレイとが電源・信号ケーブルで接続される映像表示装置において、
前記フラットパネルディスプレイは、
少なくともその表示画面の左右両側に前記電源・信号ケーブル用のコネクタを備え、
前記電源・信号ケーブルが接続されたコネクタが左側のコネクタか右側のコネクタかを検出して、その検出結果に応じて画像表示させる切替手段を有することを特徴とする映像表示装置。
【請求項２】
前記電源・信号ケーブル用のコネクタは、前記フラットパネルディスプレイの左右両側面に設けられていることを特徴とする請求項１に記載の映像表示装置。
【請求項３】
前記電源・信号ケーブル用のコネクタは、入力および出力のいずれにも兼用でき、１つのコネクタから電源および信号が入力されるとき、他のコネクタを出力側のコネクタとし、そのコネクタから別の前記フラットパネルディスプレイに電源および信号を供給することができ、
前記切替手段は、前記電源・信号ケーブルが前記コネクタに接続され、前記画像情報出力装置から電源および信号を供給されたとき、接続されている前記入力側のコネクタが右側であるか左側であるかを自動的に判定して画像表示させることを特徴とする請求項１または請求項２に記載の映像表示装置。
【請求項４】
前記切替手段は、前記電源・信号ケーブルが前記コネクタに接続され、前記画像情報出力装置から電源および信号を供給されたとき、前記出力側のコネクタに前記電源・信号ケーブルが接続されていることを自動的に判定して、前記出力側のコネクタから別の前記フラットパネルディスプレイに信号を出力させることを特徴とする請求項３に記載の映像表示装置。
【請求項５】
前記フラットパネルディスプレイおよび前記画像情報出力装置は、前記電源・信号ケーブルの端子が接続される信号系、電源系それぞれの回路の接地部間を含んで形成される共振ループに対して、インダクタンスＬと損失抵抗Ｒとを挿入する第１の高インピーダンス・低Ｑ化手段を有することを特徴とする請求項１から請求項４のいずれか１項に記載の映像表示装置。
【請求項６】
前記第１の高インピーダンス・低Ｑ化の手段は、前記フラットパネルディスプレイおよび前記画像情報出力装置双方の前記信号系の回路基板上に形成されたべたパターンの接地部と、前記電源系の回路基板上に形成されたべたパターンの接地部との間に細いスリットを形成して細い回路パターンで同電位に接続したものであり、
前記細い回路パターン上に高抵抗値の材料を固定し、前記電源・信号ケーブル、前記フラットパネルディスプレイおよび前記画像情報出力装置双方の前記信号系の回路基板上に形成されたべたパターンの接地部と前記電源系の回路基板上に形成されたべたパターンの接地部を含む共振ループのＱ値を１以下にすることを特徴とする請求項５に記載の映像表示装置。
【請求項７】
前記フラットパネルディスプレイおよび前記画像情報出力装置は、信号系、電源系それぞれの回路の接地部と、前記フラットパネルディスプレイおよび前記画像情報出力装置の筐体とを接地線で接続する場合において、インダクタンスＬと損失抵抗Ｒとを挿入する第２の高インピーダンス・低Ｑ化手段を有する接地線で接続することを特徴とする請求項１から請求項６のいずれか１項に記載の映像表示装置。
【請求項８】
前記フラットパネルディスプレイおよび前記画像情報出力装置の筐体を接地線でアースする場合において、インダクタンスＬと損失抵抗Ｒとを挿入する前記第２の高インピーダンス・低Ｑ化手段を有する接地線を少なくとも一方に用いたことを特徴とする請求項１から請求項７のいずれか１項に記載の映像表示装置。
【請求項９】
前記インダクタンスＬと損失抵抗Ｒとを挿入する前記第２の高インピーダンス・低Ｑ化手段を、前記フラットパネルディスプレイおよび前記画像情報出力装置の筐体近傍に配置した接地線を用いたことを特徴とする請求項８に記載の映像表示装置。
【請求項１０】
前記インダクタンスＬと損失抵抗Ｒとを挿入する前記第２の高インピーダンス・低Ｑ化手段として、前記接地線にフェライトコアを取り付ける、若しくはフェライトコアに前記接地線を巻き付ける構造とすることを特徴とする請求項７から請求項９のいずれか１項に記載の映像表示装置。
【発明の詳細な説明】
【技術分野】
【０００１】
本発明は、液晶ディスプレイ、プラズマディスプレイ、ＥＬ（Electroluminescence）ディスプレイなどのＦＰＤ（Flat Panel Display）と、ＦＰＤに電源や映像信号や音声信号を電源・信号ケーブルで供給するサーバとから構成される映像表示装置に関する。
【背景技術】
【０００２】
近年、薄型の大型の表示装置として液晶ディスプレイ、プラズマディスプレイ、ＥＬディスプレイなどのＦＰＤが開発され、壁掛けＴＶや会議場などにおける大型モニタとして用い、ＦＰＤにサーバから電源、映像信号、音声信号などを電源・信号ケーブルで供給する構成の映像表示装置が利用されるようになってきた。
このような映像信号、音声信号を複数の信号線路を束ねて信号ケーブルとして構成し、高速デジタル信号を伝送するものとして、放射ノイズ抑制と外来ノイズに対する耐性の観点から、例えば、特許文献１に記載されているように小振幅作動信号（ＬＶＤＳ  Low Voltage Differential Signaling）でケーブル伝送する方法が知られている。
【特許文献１】特開２００２−３５４０５３号公報（図２、図４参照）
【発明の開示】
【発明が解決しようとする課題】
【０００３】
しかしながら、ＦＰＤが薄型化され壁掛けＴＶや大型モニタとして利用される場合、サーバとＦＰＤとの間の電源・信号ケーブルを、ＦＰＤの表示画面の左右側、または上下側からの見栄えの良い引き回しや、電源・信号ケーブルによる高周波ノイズの電磁輻射の抑制などが求められている。
【０００４】
本発明はこのような課題を解決するためになされたものであり、その目的は、サーバとＦＰＤとの間の電源・信号ケーブルの見栄えの良い引き回しと、電源・信号ケーブルによる高周波ノイズの電磁輻射が少ない映像表示装置を提供することである。
【課題を解決するための手段】
【０００５】
前記課題を解決するために、第１の発明は、画像情報を表示するフラットパネルディスプレイと、画像情報をフラットパネルディスプレイに出力する画像情報出力装置を含み、画像情報出力装置とフラットパネルディスプレイとが電源・信号ケーブルで接続される映像表示装置において、フラットパネルディスプレイは、少なくともその表示画面の左右両側に電源・信号ケーブル用のコネクタを備え、電源・信号ケーブルが接続されたコネクタが左側のコネクタか右側のコネクタかを検出して、その検出結果に応じて画像表示させる切替手段を有することを特徴とする。
【０００６】
第１の発明によれば、少なくともフラットパネルディスプレイの表示画面の左右側にコネクタを備え、電源・信号ケーブルが接続されたコネクタが左側のコネクタか右側のコネクタかを検出して、その検出結果に応じて画像表示させる切替手段を有するので、例えば、フラットパネルディスプレイの左右側面に少なくとも１つずつ電源・信号ケーブル用のコネクタを配置、若しくは、フラットパネルディスプレイの上側面または下側面の左右両端側に少なくとも１つずつ電源・信号ケーブル用のコネクタを配置して、画像情報出力装置からの電源・信号ケーブルを配線引き回し上最も近いコネクタに接続できる。
その結果、電源・信号ケーブルを短く見栄え良く配線できる。
【０００７】
また、電源・信号ケーブルを短く見栄え良く配線することにより、電源・信号ケーブル、並びに、電源・信号ケーブルの端子が接続されるフラットパネルディスプレイおよび画像情報表示装置それぞれの信号系、電源系の回路の接地部間で形成されるループ面積Ｓを低減でき、不要輻射を抑制させる。
【０００８】
また、第２の発明は、第１の発明の構成に加えて、フラットパネルディスプレイおよびサーバは、電源・信号ケーブルの端子が接続される信号系、電源系それぞれの回路の接地部間を含んで形成される共振ループに対して、インダクタンスＬと損失抵抗Ｒとを挿入する第１の高インピーダンス・低Ｑ化手段を有することを特徴とする。
【０００９】
第２の発明によれば、電源・信号ケーブル、フラットパネルディスプレイおよび画像情報出力装置双方の信号系のそれぞれの回路の接地部に発生するリターン電流（電流値i、ループ面積Ｓ）を抑制、除去することができる。即ち、信号系回路の接地部と電源系回路の接地部とを含むループ面積Ｓを小さくすることにより、信号系回路の接地部と電源系回路の接地部とにまたがるループ面積Ｓの大きなリターン電流路を流れる高周波ノイズを抑制できる。
【００１０】
第２の発明では第1の発明に加えてリターン電流路のループ面積Ｓを更に低減させるために、第１の高インピーダンス・低Ｑ化手段を用いてリターン電流路を抑制、制御している。例えば、請求項６に記載のようにフラットパネルディスプレイおよび画像情報出力装置双方の信号系の回路基板上に形成されたべたパターンの接地部と、電源系の回路基板上に形成されたべたパターンの接地部との間に細いスリットを形成して細い回路パターンを形成（インダクタンスＬの挿入）する。この時、各々の接地部間は直流的に同電位に接続された構成にする。
【００１１】
更に、前記した細い回路パターン上に高抵抗値の材料を固定（損失抵抗Ｒの挿入）し、電源・信号ケーブル、フラットパネルディスプレイおよび画像情報出力装置双方の信号系の回路基板上に形成されたべたパターンの接地部と電源系の回路基板上に形成されたべたパターンの接地部を含むループの共振ループのＱ値を１以下にしている。
【００１２】
その結果、フラットパネルディスプレイおよび画像情報出力装置双方の信号系の回路基板上に形成されたべたパターンの接地部と、電源系の回路基板上に形成されたべたパターンの接地部との間に挿入した第１の高インピーダンス・低Ｑ化手段により、高周波に対するインピーダンスを増加させて共振ループを抑制、除去することができるとともに、共振ループを形成する各種ループ電流路に対して、高周波成分に対して等価的に損失抵抗を形成して低Ｑ化することができ、ループ共振のエネルギを熱に変換吸収してループ共振を抑制、除去できる。
【００１３】
第３の発明では、フラットパネルディスプレイおよび画像情報出力装置は、信号系、電源系それぞれの回路の接地部と、前記フラットパネルディスプレイおよび前記画像情報出力装置の筐体を接続する場合において、若しくは、フラットパネルディスプレイおよび画像情報出力装置の筐体を接地線でアースする場合において、インダクタンスＬと損失抵抗Ｒとを挿入する第２の高インピーダンス・低Ｑ化手段を介して接続している。この場合の高インピーダンス・低Ｑ化手段として、例えば、接地線にフェライトコアを巻き付ける、若しくはフェライトコアに接地線を巻き付ける構造とする。
【００１４】
第３の発明によれば、フラットパネルディスプレイおよび画像情報出力装置双方の信号系の接地部と、フラットパネルディスプレイおよび画像情報出力装置それぞれの筐体とを接地線で接続する場合において、若しくはフラットパネルディスプレイおよび画像情報出力装置それぞれの筐体の接地線でアースする場合において、第２の高インピーダンス・低Ｑ化手段により、従来見過ごされてきた筐体のアースを含む共振ループに対して、高周波に対するインピーダンスを増加させて共振ループを抑制、除去することができるとともに、高周波成分に対して等価的に損失抵抗を形成して低Ｑ化することができ、ループ共振のエネルギを熱に変換して吸収し、ループ共振を抑制、除去できる。
【発明の効果】
【００１５】
第１の発明によれば、電源・信号ケーブルの画像情報出力装置とフラットディスプレイ間の引き回しが短くでき電源・信号ケーブルからの高周波ノイズの電磁輻射を低減することができると共に、電源・信号ケーブルの引き回しを見栄え良くできる。
第２の発明によれば電源・信号ケーブルからの高周波ノイズの電磁輻射を低減、除去することができる。
第３の発明によれば、見過ごされることが多いアースすることによる電源・信号ケーブルとアースを含む共振ループからの高周波ノイズの電磁輻射を低減、除去することができる。
【００１６】
以上の結果、画像情報出力装置とフラットパネルディスプレイとの間の電源・信号ケーブルの見栄えの良い引き回しと、電源・信号ケーブルによる高周波ノイズの電磁輻射が少ない映像表示装置を提供することができる。
【発明を実施するための最良の形態】
【００１７】
《第１の実施形態》
以下、本発明の第１の実施形態について、図面を参照しながら詳細に説明する。
図１は本発明の第１の実施形態に係るフラットパネルディスプレイ（以下、ＦＰＤと称する）を用いた映像表示装置の概略構成ブロック図である。
映像表示装置１は、図1に示すようにサーバ（画像情報出力装置）２とＦＰＤ３から構成され、その間は電源・信号ケーブル５で接続されている。
サーバ２は、ＡＣ電源４からの電源を直流に変換して自身の電源とし、かつ接続されているＦＰＤ３に直流電源を供給すると共に、映像信号や音声信号をＦＰＤ３に出力する。ＦＰＤ３は、表示部１２、スピーカ１３，１３を備えており、サーバ２から送られた映像信号と音声信号にもとづき、画像表示したり、音声出力をしたりする。
また、ＦＰＤ３には、リモートコントローラ６からの操作信号を受信するリモートセンサ１４を備えており、操作信号を受信して、電源・信号ケーブル５を介してサーバ２に操作信号を伝達し、サーバ２において表示させるテレビ放送チャンネルの切り替え、映像信号や音声信号の入力源であるビデオとテレビ放送との間の切り替えをさせる。
【００１８】
以下に、本映像表示装置１について具体的に説明する。
（サーバ）
サーバ２は、ＡＣ／ＤＣ電源２０、ＤＣ／ＤＣ電源２１、チューナ部２２、ビデオ入力部２３、制御部２４、映像信号送信部２５、音声信号送信部２６、出力コネクタ１１を含んでいる。
ＡＣ／ＤＣ電源２０は、一般商用電源であるＡＣ電源４から交流電源を供給され、直流に変換し、ＤＣ／ＤＣ電源２１に出力する。ＤＣ／ＤＣ電源２１は、ＡＣ／ＤＣ電源２０から出力された直流を所定の電圧の直流に、例えば、５Ｖに変換して一定電圧で供給する定圧の直流電源である。５Ｖの直流電源は、出力コネクタ１１にも、サーバ２自身にも供給される。
【００１９】
チューナ部２２は、図示しない外部からのテレビ放送の電波信号を入力され、制御部２４からの指令信号にもとづいて所定の放送チャンネルの放送波を復調し、映像信号送信部２５に映像信号を、音声信号送信部２６に音声信号を出力する。
ビデオ入力部２３は、図示しない外部信号端子からのビデオ信号を入力され、映像信号送信部２５に映像信号を、音声信号送信部２６に音声信号を出力する。
映像信号送信部２５および音声信号送信部２６は、制御部２４からの指令信号にもとづいてテレビ放送信号入力とビデオ信号入力のいずれかを選択し、それぞれ入力された映像（画像情報）信号、音声信号を増幅して出力コネクタ１１の図示しない映像信号端子、音声信号端子それぞれ出力する。
【００２０】
なお、映像信号送信部２５では、映像信号をデジタル信号の輝度信号、ＲＧＢ信号に分離して出力し、音声信号送信部２６は、音声信号をデジタル信号の左チャンネル、右チャンネルに分離して出力する。
ちなみに、サーバ２内におけるチューナ部２２、ビデオ入力部２３、映像信号送信部２５、音声信号送信部２６へ供給される直流電源は、図示を省略してあるが、ＡＣ／ＤＣ電源２０またはＤＣ／ＤＣ電源２１から供給される。
また、制御部２４は、マイコンで構成され、ＦＰＤ３から電源・信号ケーブル５を介して送られてきた操作信号にもとづいて、テレビ放送チャンネルの切替や、映像信号送信部２５および音声信号送信部２６への入力信号源をテレビ放送とビデオとの間で切替などを行なう。
【００２１】
（ＦＰＤ）
次に、ＦＰＤ３について説明する。図１に示すようにＦＰＤ３は、映像を表示する表示部１２、音声を出力するスピーカ１３，１３、リモートコントローラ６からの操作信号を受信するリモートセンサ１４、ＦＰＤ３の左右の側面下部に左右外側方向に向いた入力用のコネクタ１５Ｌ，１５Ｒを備えている。そして、ＦＰＤ３の図示しないフレーム内または表示画面の背面側には機能構成としてＤＣ／ＤＣ電源３１、制御部３２、スイッチ回路（以下、ＳＷ回路と称する）３３、映像信号受信部３４、音声信号受信部３５が内蔵されている。図１では、模式図の表示上、ＦＰＤ３の中で表示部１２の占める面積が小さく描かれているが、実際は表示部１２の表示画面がＦＰＤ３の前面側の面積の大半を占める。
【００２２】
リモートセンサ１４は、リモートコントローラ６からの操作信号を受けて制御部３２に入力する。この操作信号は、オン／スタンバイ状態切換操作、ＴＶ放送チャンネルの切替、入力信号源のチューナとビデオの切替、音量調整、画質調整など通常のテレビの操作信号の検出を行なう。
【００２３】
ＤＣ／ＤＣ電源３１は、電源・信号ケーブル５により供給された５Ｖの直流電圧を、必要に応じて所要の一定電圧に昇圧してＦＰＤ３内の前記した機能構成部分に直流電源を供給する。
制御部３２は、マイコンで構成されており、前記の操作信号に応じて、ＦＰＤ３のオン／スタンバイ状態の切替制御、映像信号受信部３４の画質調整、音声信号受信部３５の音量調整を制御したり、サーバ２に信号を送り、サーバ２をオン／スタンバイ状態の切換制御をさせたり、ＴＶ放送チャンネルの切替をさせたり、映像および音声の入力信号源をチューナとビデオとの間で切替をさせたりする。
なお、制御部３２から映像信号受信部３４および音声信号受信部３５へ制御信号を出力する信号線は省略してある。
【００２４】
ＳＷ回路３３は、複数の半導体スイッチを含んでおり、制御部３２に制御されてコネクタ１５Ｌ，１５Ｒのいずれかに電源・信号ケーブルが接続されているかに応じて、以下の選択接続をする。
（１）コネクタ１５Ｌからの映像信号の信号線ＳｖＬ、またはコネクタ１５Ｒからの信号線ＳｖＲを選択接続し、映像信号受信部３４に入力する信号線Ｓｖと接続する。
（２）コネクタ１５Ｌからの音声信号の信号線ＳａＬ、またはコネクタ１５Ｒからの信号線ＳａＲを選択接続し、音声信号受信部３５に入力する信号線Ｓａと接続する。
（３）コネクタ１５Ｌからの制御信号の信号線ＳｃＬ、またはコネクタ１５Ｌからの信号線ＳｃＲを選択接続し、制御部３２から出力される信号線Ｓ１と接続する。
このＳＷ回路３３の詳細な構成については、後記する。
【００２５】
ここで、左右のコネクタ１５Ｌ，１５Ｒのコネクタ検出端子１５ａ，１５ａは、信号線ＳｄＬ、ＳｄＲにより制御部３２に接続されている。左右のコネクタ１５Ｌ，１５Ｒの電源端子１５ｂ，１５ｂは、電源線３０によりＤＣ／ＤＣ電源３１に接続されている。左右のコネクタ１５Ｌ，１５Ｒの音声信号端子１５ｃ，１５ｃは信号線ＳａＬ、ＳａＲによりＳＷ回路３３に接続されている。左右のコネクタ１５Ｌ，１５Ｒの映像信号端子１５ｄ，１５ｄは信号線ＳｖＬ、ＳｖＲによりＳＷ回路３３に接続されている。左右のコネクタ１５Ｌ，１５Ｒの制御信号端子１５ｅ，１５ｅは信号線ＳｃＬ、ＳｃＲによりＳＷ回路３３に接続されている。
また、映像信号の信号線Ｓｖが、ＳＷ回路３３と映像信号受信部３４とを接続し、音声信号の信号線Ｓａが、ＳＷ回路３３と音声信号受信部３５とを接続し、制御信号の信号線Ｓ１がＳＷ回路３３と制御部３２とを接続している。
【００２６】
映像信号受信部３４は、受信した映像信号をメモリ３４ａに逐次一時記憶し、画面表示の１フレーム単位でメモリ３４ａから映像信号を読み出し、表示部１２の図示しない画像表示駆動回路に映像信号を出力し画像情報を表示画面に表示させる。音声信号受信部３５は、受信したデジタルの音声信号をアナログ信号に変換し、スピーカ１３を駆動する。
【００２７】
コネクタ１５Ｌ，１５Ｒは、多芯の電源・信号ケーブル５のケーブル端子（コネクタプラグ）５ａを受け入れ可能な構成であり、コネクタ検出端子１５ａ、５Ｖの直流電源に対応する電源端子１５ｂ、音声信号端子１５ｃ、映像信号端子１５ｄ、制御信号端子１５ｅを有している。
なお、図１では前記各端子は、代表的に１つのみ表示されているが、実際には原則的にペアで用意され、音声信号端子１５ｃは、ステレオ用に左右２チャンネルまたはサラウンド用にもっと多くの複数組が、同様に映像信号端子１５ｄもＲＧＢ用、輝度信号用の複数組が用意されている。
【００２８】
（ＳＷ回路の構成と動作の詳細な説明）
次に、図２を参照しながら適宜図１を参照してＳＷ回路３３の詳細な構成と動作を説明する。
図２の（ａ）は音声信号用の信号線ＳａＬ，ＳａＲおよび映像信号用の信号線ＳｖＬ，ＳｖＲのＳＷ回路における切替説明図であり、（ｂ）は入力用のコネクタのコネクタ検出端子の機能を説明するための説明図である。
【００２９】
図２の（ｂ）に示すように、コネクタ１５Ｌ（１５Ｒ）にケーブル端子５ａが差し込まれると、端子１５ａ〜１５ｅに対応するケーブル端子５ａのピン１０５ａ〜１０５ｅが端子１５ａ〜１５ｅに挿入され電気的に接続する。
サーバ２とＦＰＤ３とが電源・信号ケーブル５で接続され、サーバ２がオン状態またはスタンバイ状態であれば、サーバ２からＦＰＤ３には電源・信号ケーブル５を通じて電源が供給される。そして、制御部３２には直流電源が供給され、コネクタ１５Ｌ，１５Ｒの両方のコネクタ検出端子１５ａのいずれが短絡状態かを検出する。
２つのコネクタ検出端子１５ａに対応するケーブル端子５ａ側の２本のピン１０５ａは、ケーブル端子５ａ内において短絡回路５１で結ばれており、制御部３２はコネクタ１５Ｌおよびコネクタ１５Ｒのそれぞれの２つのコネクタ検出端子１５ａ間の電圧を検出することにより、いずれのコネクタ１５Ｌ、１５Ｒにケーブル端子５ａが接続されているかを容易に検出できる。
【００３０】
制御部３２は、コネクタ１５Ｌ，１５Ｒのいずれに電源・信号ケーブル５が接続されても、コネクタ検出端子１５ａを介して、電源・信号ケーブル５のケーブル端子５ａがコネクタ１５Ｌおよびコネクタ１５Ｒのいずれに接続されているかを検出して、ＳＷ回路３３を切替制御して、接続されている側の信号線ＳａＬ（／ＳａＲ）を音声信号受信部３５に接続し、接続されていない側のＳａＲ（／ＳａＬ）を信号回路基板の接地部に接続する。同様に、接続されている側の信号線ＳｖＬ（／ＳｖＲ）を映像信号受信部３４に接続し、接続されていない側の信号線ＳｖＲ（／ＳｖＬ）を信号回路基板の接地部に接続する。また、接続されている側の信号線ＳｃＬ（／ＳｃＲ）を制御部３２に接続し、接続されていない側の信号線ＳｃＲ（／ＳｃＬ）を信号回路基板の接地部に接続する。
【００３１】
ＳＷ回路３３の中の映像信号用のＳＷ部３３ａは、図２の（ａ）に２接点等価回路で模式的に示すように状態ａと状態ｂに対応した接点を有している。状態ａはコネクタ１５Ｌに電源・信号ケーブル５が接続された状態を言い、状態ｂはコネクタ１５Ｒに電源・信号ケーブル５が接続された状態を言う。
状態ａでは、可動切片４１が接点４２Ｌに接触して信号線ＳｖＬを映像信号受信部３４に接続し、可動接点４３が接点４４Ｒに接触して信号線ＳｖＲを接地部ＧＮＤＳに接続する。逆に状態ｂでは、可動切片４１が接点４２Ｒに接触して信号線ＳｖＲを映像信号受信部３４に接続し、可動接点４３が接点４４Ｌに接触して信号線ＳｖＬを接地部ＧＮＤＳに接続する。
【００３２】
ＳＷ回路３３の中の音声信号用のＳＷ部３３ｂは、図２の（ａ）に模式的に示すように同様に状態ａと状態ｂに対応した接点を有している。
状態ａでは、可動切片４５が接点４６Ｌに接触して信号線ＳａＬを音声信号受信部３５に接続し、可動接点４７が接点４８Ｒに接触して信号線ＳａＲを接地部ＧＮＤＳに接続する。逆に状態ｂでは、可動切片４５が接点４６Ｒに接触して信号線ＳａＲを音声信号受信部３５に接続し、可動接点４７が接点４８Ｌに接触して信号線ＳａＬを接地部ＧＮＤＳに接続する。
本実施形態のコネクタ検出端子１５ａ、制御部３２、ＳＷ回路３３は請求項１に記載の切替手段を構成する。
【００３３】
図３は本実施形態における映像表示装置に用いられる電源・信号ケーブルの断面を示す斜視図である。
電源・信号ケーブル５は、例えば、ＨＤＭＩ（High-Definition Multimedia Interface，HDMI Licensing LLCの商標または、登録商標。）ケーブルに準拠しており、図３に示すように電源ペア線１４１は絶縁材で被覆され、更にその外を内部シールド１４２で被覆されている。映像用および音声用の信号ペア線１４３も絶縁材で被覆され、更にその外を内部シールド１４４で被覆されている。更に内部シールド１４２で被覆された電源ペア線１４１および内部シールド１４４で被覆された信号ペア線１４３は、その間を誘電体１４７を充填して所定の間隔をとって結束され、更にその外側が外部シールド１４６で被覆されている。
電源・信号ケーブル５は、その両端に装着したケーブル端子５ａそれぞれの近くに、外部シールド１４６の外側に密着させてフェライトコア５ｂが装着されている。
【００３４】
なお、電源ペア線１４１は、ノイズ抑制のため撚り線のペア線であり、信号ペア線１４３はインピーダンス整合のとれた平行のペア線である。
ちなみに、内部シールド１４２，１４４および外部シールド１４６は外部の電磁ノイズを電源・信号ケーブル５が取り込まないように、また逆に電源・信号ケーブル５から外部に不要電磁輻射をしないようにするためのものであり、フレキシブルなシールド導体、または導電性の金属などを含んだ公知の材料で構成されている。また、フェライトコア５ｂは外部シールド１４６の外側表面を伝播する高周波電流（コモンモード電流）を減衰させるためのもので、電源・信号ケーブル５の両端部のコネクタ端子５ａに取り付けられている。
図３中、破線で示したように内部シールド１４４で被覆された複数の信号ペア線１４３を更に内部シールド１４５で被覆し、シールドを強化しても良い。
【００３５】
（ノイズの電磁輻射の抑制）
次に図４から図６を参照しながら適宜図１と図３を参照して、本実施形態におけるサーバ２、ＦＰＤ３、電源・信号ケーブル５および接地線による各種リターン電流路の形成と、高周波ノイズの電磁輻射を抑制、除去するための構成と作用とを説明する。
図４、図５は比較例の映像表示装置におけるリターン電流路と高周波ノイズの電磁輻射の説明図であり、図６は本実施形態の映像表示装置におけるリターン電流路と高周波ノイズの電磁輻射を抑制、除去する構成の説明図である。
（比較例におけるリターン電流回路の形成と電磁輻射の説明）
比較例の映像表示装置１’を構成するサーバ２’、ＦＰＤ３’および電源・信号ケーブル５’は、本実施形態の映像表示装置１とは、後記する接地線の構成および電源・信号ケーブル５’のフェライトコア５ｂの取り付け数以外は同じである。
【００３６】
比較例の映像表示装置１’は、図４に示すようにサーバ２’のＤＣ／ＤＣ電源２１からは、直流電源が電源・信号ケーブル５に含まれる１組の撚り線の電源ペア線１４１を介して、ＦＰＤ３’に送られる。
同様にサーバ２’の映像信号送信部２５（図１参照）、音声信号送信部２６（図１参照）からは、図４中では代表的に示す差動信号を伝送する増幅器（図４、図５中「ドライバ」と表示）５５でが、電源・信号ケーブル５に含まれる複数組の平行の信号ペア線１４３を介して、ＦＰＤ３’に送られる。
そして、ＦＰＤ３’側にて受信され、増幅器（図４、図５中「レシーバ」と表示）５６で増幅された高周波成分Ｖｊ（ωｔ）を含むデジタル信号が出力される。
【００３７】
電源ペア線１４１は前記したように内部シールド１４２で被覆され、それぞれの信号ペア１４３は前記したように内部シールド１４４で被覆され、更に全体が外部シールド１４６で被覆されている。
電源ペア線１４１に対するサーバ２’の出力コネクタ１１（図１参照）とケーブル端子５ａ（図１参照）との接続は破線枠５１Ａで示すように、電源ペア線１４１が接続されるとともに、内部シールド１４２もサーバ２’の筐体に接続される。同様に電源ペア線１４１に対するＦＰＤ３’のコネクタ１５Ｌ（１５Ｒ）（図１参照）とケーブル端子５ａ（図１参照）との接続は破線枠５１Ｂで示すように、電源ペア線１４１が接続されるとともに、内部シールド１４２もＦＰＤ３’の筐体に接続される。
【００３８】
信号ペア線１４３に対するサーバ２’の出力コネクタ１１とケーブル端子５ａ（図１参照）との接続は破線枠５３Ａで示すように、信号ペア線１４３が接続されるとともに、内部シールド１４４もサーバ２’の筐体に接続される。同様に信号ペア線１４３に対するＦＰＤ３’のコネクタ１５Ｌ（１５Ｒ）（図１参照）とケーブル端子５ａ（図１参照）との接続は破線枠５３Ｂで示すように、信号ペア線１４３が接続されるとともに、内部シールド１４４もＦＰＤ３’の筐体に接続される。
【００３９】
外部シールド１４６もサーバ２’およびＦＰＤ３’それぞれの筐体に接続されている。
図４、図５では内部シールド１４２に被覆された電源ペア線１４２と内部シールド１４６に被覆された信号ペア線１４３が離れて表示してあるが、この間に複数の内部シールド１４６に被覆された信号ペア線１４３が存在し、全体を外部シールド１４６で被覆し、更に一端側、この場合はＦＰＤ３’側にフェライトコア５ｂが取り付けられている。
【００４０】
サーバ２’内では、ＤＣ／ＤＣ電源２１の図示しない電源回路基板の電源ペア線１４１の−側およびＤＣ／ＤＣ電源２１の−側は電源回路基板に設けられたべたパターン（ＧＮＤＰ）７１Ａに接続され、更にサーバ２’の筐体に接続されている。
また、サーバ２’内では、映像信号送信部２５（図１参照）および音声信号送信部２６（図１参照）の図示しない信号回路基板に設けられたべたパターン（ＧＮＤＳ）７２Ａに、増幅器５５の接地側が接続され、更にサーバ２’の筐体に接続されている。
【００４１】
ＦＰＤ３’内では、ＤＣ／ＤＣ電源３１（図１参照）の図示しない電源回路基板の電源ペア線１４１の−側およびＤＣ／ＤＣ電源３１の−側は図示しない電源回路基板に設けられたべたパターン（ＧＮＤＰ）７３Ａに接続され、更にＦＰＤ３’の筐体に接続されている。
ちなみに、ＤＣ／ＤＣ電源３１の＋側は負荷抵抗６１を経てべたパターン（ＧＮＤＰ）７３Ａに接続される。
また、ＦＰＤ３’内では、映像信号受信部３４（図１参照）および音声信号受信部３５（図１参照）の図示しない信号回路基板に設けられたべたパターン（ＧＮＤＳ）７４Ａに、増幅器５６の接地側が接続され、更にＦＰＤ３’の筐体に接続されている。
サーバ２’の筐体およびＦＰＤ３’の筐体はそれぞれ接地線により建物の壁や床のグランドＧＮＤ０などにアースされている。
【００４２】
ここで、複数の信号ペア線１４３を通してデジタル信号の映像信号および音声信号がサーバ２’側からＦＰＤ３’に送信されるが、そのとき信号ペア線１４３はインピーダンス整合のとれた平行線とし、かつ受信側の入力端を整合終端し、終端抵抗（１００Ω）両端に発生する入力信号を増幅器５６で受信している。図４に示す信号ペア線１４３のループＬ１は、デジタル信号を高速で伝送するための線路ループを示す。線路のインピーダンス整合などにより不要なリターン電流路を抑制しているが、僅かなアンバランスから高調波成分による各種共振ループＬi（i＝２、３、４、５）（図４、図５参照）を形成することにより不要輻射が発生する。
【００４３】
ループＬ２は、増幅器５５、増幅器５６を含む信号ペア線１４３と内部シールド１４４で形成される共振ループである。ループＬ３は、信号ペア線１４３、電源ペア線、べたパターン７１Ａ、７２Ａ、７３Ａ、７４Ａで形成される共振ループである。ループＬ４は、信号ペア線１４３と外部シールド１４６で形成される共振ループである。ループＬ５は、従来見過ごされていた共振ループであり、信号ペア線１４３、電源ペア線１４１とべたパターン７１Ａ、７２Ａ、７３Ａ、７４Ａを含めたサーバ２’とＦＰＤ３’の筐体、電源・信号ケーブル５、および外部接地線（接地線）８３，８５で形成される共振ループである。
ループＬ２に対しては、図４に示す外部シールド１４６を施してリターン電流路による高周波ノイズの電磁輻射を抑制している。
【００４４】
更に、サーバ２’の前記電源回路基板のべたパターン７１Ａと前記信号回路基板のべたパターン７２Ａはサーバ２’の筐体を介して同電位に接続され、同様にＦＰＤ３’の前記電源回路基板のべたパターン７３Ａと前記信号回路基板のべたパターン７４ＡはＦＰＤ３’の筐体を介して同電位に接続されているので、図５に示す信号ペア線１４３と電源ペア線１４１を含むループＬ３のリターン電流路が生成される。このループＬ３のリターン電流路は外部シールド１４６により電磁輻射を抑制している。
【００４５】
外部シールド１４６はサーバ２’およびＦＰＤ３’の筐体と接続されているので高周波ノイズは外部シールド１４６にまで漏れ出し、図５に示すように信号ペア線１４３と外部シールド１４６を含むループＬ４のリターン電流路が生成される。このループＬ４のリターン電流路は電源・信号ケーブル５に設けられたフェライトコア５ｂにより高周波ノイズのエネルギを吸収して電磁輻射を抑制している。
【００４６】
しかしながら、前記したループＬ２、ループＬ３、ループＬ４からの不要輻射を抑制しても、高周波ノイズは存在する。これに対処するため、従来見過ごされていたループＬ５で示すリターン電流路（共振ループ）に注目する。
即ち、図５に示すように、サーバ２’およびＦＰＤ３’の筐体、並びにそれぞれが独立して建物の壁や床のグランドＧＮＤ０にアースされる外部接地線８３，８５、電源・信号ケーブル５からなる共振ループである。
このループＬ５のリターン電流路は電源・信号ケーブル５の外部シールド１４６の内面を流れる（外部からシールドされていて見えない）共振ループのため、ループＬ４で効果が得られるフェライトコア５ｂでもループＬ５に流れる高周波ノイズのエネルギを吸収することはできない。ループＬ５の構成から、ループ面積Ｓが大きくなるのでループ共振電流（コモンモード電流）が小さくても大きな不要輻射を発生する。
【００４７】
（本実施形態におけるリターン電流回路の形成と電磁輻射の抑制、除去の説明）
次に本実施形態における接地線の構成を説明する。前記した比較例における接地線と同じ構成については同じ符号を付し説明を省略する。
本実施形態の電源・信号ケーブル５は、図６に示すようにサーバ２側およびＦＰＤ３側ｂの両側にフェライトコア５ｂを取り付け、増幅器５５，５６の両方とも電源・信号ケーブル５を介して外部に高周波ノイズを輻射するノイズ源であることから、電源・信号ケーブル５の外部シールド１４６を含む共振ループによる高周波ノイズの共振エネルギを吸収し、サーバ２側からとＦＰＤ３側から外部シールド１４６に高周波ノイズが漏洩しないようにしている。
【００４８】
本実施形態のサーバ２内では、ＤＣ／ＤＣ電源２１（図１参照）の図示しない電源回路基板の電源ペア線１４１の−側およびＤＣ／ＤＣ電源２１の−側は電源回路基板に設けられたべたパターン（ＧＮＤＰ）７１に接続されている。
また、サーバ２内では、映像信号送信部２５（図１参照）および音声信号送信部２６（図１参照）の図示しない信号回路基板に設けられたべたパターン（ＧＮＤＳ）７２に、増幅器５５の接地側が接続されている。
【００４９】
そして、べたパターン７１とべたパターン７２とは接近して設けられ、その間にスリット７５を形成して細い配線パターン７６で両者を接続し、両者の間にインダクタンスＬを持たせる構成としている。更に、細い配線パターン７６の表面には樹脂などのバインダに導電性物質、例えば、金、銀、アルミニウム、炭素などのフィラーを混ぜたペースト状の抵抗体を薄く塗布して溶媒を蒸発させるなどしてパターン配線７６上に所定の厚さに抵抗体を形成、固着している。例えば、樹脂をバインダに用いた場合には樹脂抵抗体８１と称し、例えば、樹脂抵抗体８１を塗布した後、１５０〜２００℃にその部分を加熱して溶媒を飛ばし、パターン配線７６上に１０〜５０μｍ程度の厚さに樹脂抵抗体８１を形成させる。
なお、バインダとしては樹脂に限定されずガラスなどでも良い。
【００５０】
ＦＰＤ３内では、ＤＣ／ＤＣ電源３１（図１参照）の図示しない電源回路基板の電源ペア線１４１の−側およびＤＣ／ＤＣ電源３１の−側は電源回路基板に設けられたべたパターン（ＧＮＤＰ）７３に接続されている。
また、ＦＰＤ３内では、映像信号受信部３４（図１参照）および音声信号受信部３５（図１参照）の図示しない信号回路基板に設けられたべたパターン（ＧＮＤＳ）７４に、増幅器５６の接地側が接続されている。
【００５１】
そしてべたパターン７３とべたパターン７４とは接近して設けられ、その間にスリット７５を形成して細いパターン配線７６で両者を接続し、両者の間にインダクタンスＬを持たせる構成である。パターン配線７６上には前記したように同様に樹脂抵抗体８１を固着してある。
【００５２】
更に、べたパターン７１，７２は、それぞれ接地線によりサーバ２の筐体とＬＲ回路７７（第２の高インピーダンス・低Ｑ化手段）を介して、主にベタパターン７１，７２の周辺部で接続されている。べたパターン７３，７４も、接地線により同様に同じ構成のＬＲ回路（第２の高インピーダンス・低Ｑ化手段）７８を介してＦＰＤ３の筐体と接続している。
このＬＲ回路７７，７８は、基本的にインダクタンスＬoと抵抗値Ｒoを並列接続した構成をとる。直流的には導通状態になるが、不要輻射を発生する高周波成分に対しては、ωＬo≫Ｒoとなることから、等価的に抵抗Ｒoで接続された状態になり、低Ｑ化される。
ＬＲ回路７７，７８は、例えば、接地線の外周をフェライトコアが取り囲むように取り付ける、またはフェライトコアに接地線を巻き付けることによって形成される。
【００５３】
なお、接地線にフェライトコアを取り付ける、またはフェライトコアに接地線を巻き付けることによって形成されるＬＲ回路７７，７８は、図６ではインダクタンスＬoと抵抗値Ｒoが並列に接続されたものとして等価的に表示したが、厳密にはインダクタンスと抵抗値が直列に接続した成分も有する。すなわち、分布定数系線路の特徴を有する。
【００５４】
リターン電流路のループＬ１，Ｌ２，Ｌ４の形成は、比較例と同じであるので重複する説明は省略するが、Ｌ３’，Ｌ５’が比較例と異なる。
図６に示したべたパターン７１、７２，７３，７４を含む後記する共振ループＬ３’やその派生的な電源ペア１４１の代わりに外部シールド１４６を経る共振ループ対しては、サーバ２やＦＰＤ３の筐体とべたパターン７１，７２，７３，７４との間を、ＬＲ回路７７またはＬＲ回路７８を介して複数箇所で接続することにより効果的に不要輻射を抑制、除去する場合もある。
【００５５】
サーバ２やＦＰＤ３の筐体は、ＬＲ回路（第２の高インピーダンス・低Ｑ化手段）７９，８０を介して建物の壁や床のグランドＧＮＤ０などに外部接地線８３，８５でアースされる。ＬＲ回路７９，８０は、前記したＬＲ回路７７，７８と同じ構成であり、例えば、筐体は建物の壁や床などのグランドＧＮＤ０にアースする外部接地線８３，８５をフェライトコアに巻き回したもの、または、外部接地線８３，８にフェライトコアを取り付けたもので構成される。
【００５６】
次に、図６に示す共振ループＬ３’における第１の高インピーダンス・低Ｑ化手段の作用について説明する。本実施形態におけるべたパターン７１，７２、スリット７５、配線パターン７６、抵抗体８１並びにべたパターン７３，７４、スリット７５、配線パターン７６、樹脂抵抗体８１は請求項５に記載の第１の高インピーダンス化と低Ｑ化の手段を構成する。
【００５７】
べたパターン７１とべたパターン７２が細い配線パターン７６で等電位に接続され、同様にべたパターン７３とべたパターン７４が細い配線パターン７６で等電位に接続され、更にインダクタンスＬを構成するように配されると共に、配線パターン７６の表面に樹脂抵抗体８１が固着されているので、高周波ノイズがべたパターン７１とべたパターン７２を、同様にべたパターン７３とべたパターン７４を経由するリターン電流路のループＬ３’が形成される。このループＬ３’に高周波ノイズのループ共振が生じる場合に、樹脂抵抗体８１の抵抗値Ｒと前記インダクタンスＬを等価的に並列接続したＬＲ回路を形成することにより、不要輻射を抑制、除去している。
【００５８】
ちなみに、高周波電流が細い配線パターン７６を通過する場合は、表皮効果により配線パターン７６の表面を流れるので、表面に形成された樹脂抵抗体８１が高周波に対して高抵抗値Ｒとなる。表皮効果を積極的に利用する場合は、前記細い配線パターン７６の表面に微細な凹凸構造を形成してパスを長くすることにより損失抵抗Ｒを形成してもよい。共振ループＬ３’に流れる共振エネルギは、並列に接続されるインダクタンスＬのインピーダンスが高いことを用いて、抵抗体８１（損失抵抗Ｒ）に流れ熱に変換吸収される。
【００５９】
そして、このループＬ３’に対しては、直流的に導通状態ではある、高周波成分による共振電流にはインダクタンスＬが高インピーダンス化するため、べたパターン７１とべたパターン７２の間で抑制され、並列接続された樹脂抵抗体８１を流れるようになりループ共振を減衰させている。
【００６０】
なお、スリット７５により形成された配線パターン７６とその表面に形成された樹脂抵抗体８１は、説明の簡単化のためインダクタンスＬと抵抗値Ｒとが並列に接続したものとして説明したが、厳密には分布定数系であり、インダクタンタと抵抗器の微小な並列の構成が、更に直列接続したものとも言える。
【００６１】
また、べたパターン７１，７２はその接地線を図示しないフェライトコアを巻回してＬＲ回路７７を形成してから、サーバ２の筐体に接続され、べたパターン７３，７４はその接地線を図示しないフェライトコアを巻回してＬＲ回路７８を形成してから、ＦＰＤ３の筐体に接続される。また、サーバ２およびＦＰＤ３の筐体は、その外部接地線８３，８５が、図示しないフェライトコアを巻回してＬＲ回路７９、８０を形成してから、グランドＧＮＤ０にアースされ、比較例におけるループＬ５に対応するループＬ５’のリターン電流路は、フェライトコア５ｂおよびＬＲ回路７７，７８，７９，８０などを含むこととなり、高周波ノイズのループＬ５’におけるループ共振に対してエネルギを効果的に熱に変換吸収することができる。
【００６２】
なお、電気的に等電位に接続されたべたパターン７１とべたパターン７２に対し、ＬＲ回路７７を介した接地線は少なくとも１箇所、同様に電気的に等電位に接続されたべたパターン７１とべたパターン７４に対してもＬＲ回路７８を介した接地線は少なくとも１箇所設ければ良いが、図６では筐体と多数（複数）の接地線で接続し、広い高周波成分に対して効果的に共振ループを抑制、制御、除去するようにしている。
ＬＲ回路７７，７８は請求項７に記載の第２の高インピーダンス・低Ｑ化手段を構成し、ＬＲ回路７９，８０は請求項８に記載の第２の高インピーダンス・低Ｑ化手段を構成する。
【００６３】
以上、本実施形態によれば、以下のような効果がある。
（１）本実施形態の映像表示装置１のＦＰＤ３は、表示画面の左右両側にコネクタ１５Ｌ，１５Ｒを備えており、いずれのコネクタ１５Ｌ，１５Ｒにも電源・信号ケーブル５を接続できるので、例えば、部屋の壁の１つの左右中央にＦＰＤ３を配置し、サーバ２はその壁の左右の隅の商用電源のコンセントの近くに配置したいときに、商用電源のコンセントが壁の左隅にある場合にも右隅にある場合にも、電源・信号ケーブル５を短く引き回すことができる。その結果、ケーブル引き回しが短く、スマートに見栄え良くできる。電源・信号ケーブル５に用いられるＨＤＭＩケーブルは、ノイズ対策が重要であり、ケーブル長が長くなるとより電磁輻射や外部のノイズを拾い易くなることに注意を必要とするので、電源・信号ケーブル５は短い方が好ましい。
【００６４】
例えば、比較例のＦＰＤ３Ｂのように左側の入力用のコネクタ１５Ｌしか有していない場合は、図７の（ａ）のケースでは電源・信号ケーブル５を短くできるが、図７の（ｂ）のケースでは電源・信号ケーブル５’が長くなる。これに対し、本実施形態におけるＦＰＤ３を使用すると、いずれの場合も図７の（ａ）および（ｃ）のように短い電源・信号ケーブル５で済み、ケーブル引き回しの見栄えも良くなる。
【００６５】
（２）また、コネクタ１５Ｌ，１５Ｒのいずれに電源・信号ケーブル５が接続されても、自動的に制御部３２は電源・信号ケーブル５が接続されている側のコネクタを検知してＳＷ回路３３を制御し、接続されている側のコネクタから映像信号、音声信号を取り込み、また、制御信号をサーバ２と制御部３２との間で送受信できるようにする。
【００６６】
（３）また、サーバ２内の電源回路基板のべたパターン７１と信号回路基板のべたパターン７２とをグランドインピーダンスＺｇの値が高くなるようにスリット７５を伴う配線パターン７６で接続し、配線パターン７６表面に高抵抗値の樹脂抵抗体８１を固着してある。同様に、ＦＰＤ３内の電源回路基板のべたパターン７３と信号回路基板のべたパターン７４とをグランドインピーダンスＺｇの値が高くなるようにスリット７５を伴う配線パターン７６で接続し、配線パターン７６表面に高抵抗値の樹脂抵抗体８１を固着してある。また、べたパターン７１，７２およびべたパターン７３，７４を通るリターン電流路のループＬ３’の共振に対して、低Ｑ値となるようにしてあるので、ループＬ３’のループ共振による高周波ノイズを抑制、除去できる。
【００６７】
（４）サーバ２の筐体との外部接地線８３およびＦＰＤ３の筐体との外部接地線８５は、フェライトコアを巻き回してＬＲ回路７９，８０を形成して、その後に壁や床のグランドＧＮＤ０に接地されているので、建物の構造体と電源・信号ケーブル５を含むループＬ５’によるループ共振に対して高周波ノイズのエネルギをＬＲ回路７７，７８，７９，８０の損失抵抗Ｒ０が吸収するので、高周波ノイズ源による電磁輻射を抑制することができる。
【００６８】
なお、ＦＰＤ３のコネクタ１５Ｌ，１５ＲはＦＰＤ３のフレームの左右側面下方に左右外側方向からケーブル端子５ａが差し込まれるように配置してあるがこれに限定されるものではない。例えば、ＦＰＤ３のフレームの下端の左右両端側に、下方からケーブル端子５ａが差し込まれるように配置しても良いし、ＦＰＤ３のフレームの上端の左右両端側に、上方からケーブル端子５ａが差し込まれるように配置しても良い。
【００６９】
《第２の実施形態》
次に本発明の第２の実施形態に係る映像表示装置を図８、図９を参照しながら説明する。
本実施形態の映像表示装置１Ａのサーバ２と電源・信号ケーブル５は第１の実施形態と同じである。映像表示装置１ＡのＦＰＤ３Ａは、第１の実施形態のＦＰＤ３とは、制御部３２Ａ、ＳＷ回路３３Ａ、コネクタ１５ＡＬ，１５ＡＲが異なり、更に、映像信号増幅部３７、音声信号増幅部３８および制御信号回線端末ノード３９が追加されている。
第１の実施形態と同じ構成については同じ符号を付し、重複する説明を省略する。
図８は本実施形態に係るＦＰＤの概略構成ブロック図である。
【００７０】
図８に示すようにＦＰＤ３Ａは、映像を表示する表示部１２、音声を出力するスピーカ１３，１３、リモートコントローラ６からの操作信号を受信するリモートセンサ１４、ＦＰＤ３Ａの左右の側面下部に左右外側方向に向いた入出力兼用のコネクタ１５ＡＬ，１５ＡＲを備えている。そして、ＦＰＤ３Ａの図示しないフレーム内または表示画面の背面側には機能構成としてＤＣ／ＤＣ電源３１、制御部３２Ａ、ＳＷ回路３３Ａ、映像信号受信部３４、音声信号受信部３５、映像信号増幅部３７、音声信号増幅部３８、制御信号回線端末ノード３９が内蔵されている。図８では、模式図の表示上、ＦＰＤ３Ａの中で表示部１２の占める面積が小さく描かれているが、実際は表示部１２の表示画面がＦＰＤ３Ａの前面側の面積の大半を占める。
【００７１】
ＤＣ／ＤＣ電源３１は、電源・信号ケーブル５により供給された５Ｖの直流電圧を、必要に応じて所要の一定電圧に昇圧してＦＰＤ３Ａ内の前記した機能構成部分に直流電源を供給する。
制御部３２Ａは、マイコンで構成されており、これらの操作信号に応じて、ＦＰＤ３Ａのオン／スタンバイ状態の切替制御、映像信号受信部３４の画質調整、音声信号受信部３５の音量調整を制御したり、サーバ２に信号を送り、サーバ２においてオン／スタンバイ状態の切換制御をさせたり、ＴＶ放送チャンネルの切替をさせたり、入力信号源のチューナとビデオとの間の切替をさせたりする。
【００７２】
また、制御部３２Ａは、コネクタ１５ＡＬ，１５ＡＲのコネクタ検出端子１５ａと後記するＩＮ／ＯＵＴ検出端子１５ｆを用いて、電源端子１５ｂが通電しているか否か、その直流電流の流れ方向を検出して、接続された電源・信号ケーブル５が通電状態か否か、また直流電流がそのＦＰＤ３Ａへの入力電源か出力電源かを判定する。
【００７３】
映像信号増幅部３７および音声信号増幅部３８は、サーバ２から送信された映像信号、音声信号をそれぞれデジタル信号のまま増幅してＳＷ回路３３Ａを介して他のＦＰＤ３Ａに出力する。
制御信号回線端末ノード３９は、サーバ２とＦＰＤ３Ａとの間の、通信回線を構成する制御用の信号線Ｓｃとの間で制御信号の送受信をするノードであり、制御部３２Ａからサーバ２への制御信号を信号線Ｓｃに載せたり、サーバ２からの制御信号を信号線Ｓｃから受け取ったりする。
なお、制御部３２Ａから映像信号受信部３４および音声信号受信部３５へ制御信号を出力する信号線は省略してある。
【００７４】
ＳＷ回路３３Ａは、複数の半導体スイッチ回路を含んでおり、制御部３２Ａに制御されてコネクタ１５ＡＬ，１５ＡＲのいずれに入力側の電源・信号ケーブル５が接続されているかに応じて、以下の選択接続をする。
ここで、図８においてサーバ２と接続しているＩＮと表示された電源・信号ケーブル５が入力側のケーブルであり、ＦＰＤ３Ａと他のＦＰＤ３Ａを接続しているＯＵＴと表示された電源・信号ケーブル５が出力側のケーブルである。
【００７５】
（１）入力側の電源・信号ケーブル５がいずれのコネクタ１５ＡＬ，１５ＡＲに接続しているかを判定して、入力側の映像信号の信号線ＳｖＬ（／ＳｖＲ）と、音声信号の信号線ＳａＬ（／ＳａＲ）を選択接続し、信号線ＳｖＬ（／ＳｖＲ）を映像信号受信部３４に入力する信号線Ｓｖと接続すると共に映像信号増幅部３７に入力し、信号線ＳａＬ（／ＳａＲ）を音声信号受信部３５に入力する信号線Ｓａと接続すると共に音声信号増幅部３８に入力する。
（２）そして、映像信号増幅部３７からの増幅された映像信号出力と音声信号増幅部３８からの増幅された音声信号出力を、それぞれ出力側の映像信号の信号線ＳｖＲ（／ＳｖＬ）と、音声信号の信号線ＳａＲ（／ＳａＬ）を選択接続して、出力する。
【００７６】
ここで、左右のコネクタ１５ＡＬ，１５ＡＲのコネクタ検出端子１５ａ，１５ａは、信号線ＳｄＬ、ＳｄＲにより制御部３２Ａに接続されている。左右のコネクタ１５ＡＬ，１５ＡＲの電源端子１５ｂ，１５ｂは、ＤＣ／ＤＣ電源３１に接続されている。左右のコネクタ１５ＡＬ，１５ＡＲの音声信号端子１５ｃ，１５ｃは信号線ＳａＬ、ＳａＲによりＳＷ回路３３Ａに接続されている。左右のコネクタ１５ＡＬ，１５ＡＲの映像信号端子１５ｄ，１５ｄは信号線ＳｖＬ、ＳｖＲによりＳＷ回路３３Ａに接続されている。左右のコネクタ１５ＡＬ，１５ＡＲの制御信号端子１５ｅ，１５ｅは信号線Ｓｃにより制御信号回線端末ノード３９に接続されている。
【００７７】
また、映像信号の信号線Ｓｖが、ＳＷ回路３３Ａと映像信号受信部３４とを接続し、音声信号の信号線Ｓａが、ＳＷ回路３３Ａと音声信号受信部３５とを接続している。
また、映像信号増幅部３７および音声信号増幅部３８はそれぞれの入出力側がＳＷ回路３３Ａと接続している。
【００７８】
コネクタ１５ＡＬ，１５ＡＲは、多芯の電源・信号ケーブル５ケーブル端子（コネクタプラグ）５ａを受け入れ可能な構成であり、コネクタ検出端子１５ａ、５Ｖの直流電源に対応する電源端子１５ｂ、音声信号端子１５ｃ、映像信号端子１５ｄ、制御信号端子１５ｅ、ＩＮ／ＯＵＴ検出端子１５ｆを有している。
ＩＮ／ＯＵＴ検出端子１５ｆは、電源端子１５ｂ近傍に設けられ、電源端子１５ｂが通電しているか否か、その直流電流の流れ方向を検出して、電圧信号または電流信号を制御部３２Ａに入力する。制御部３２Ａは、その信号にもとづいて接続された電源・信号ケーブル５が通電状態か否か、また直流電流がそのＦＰＤ３Ａへの入力電源か出力電源かを判定する。
【００７９】
（ＳＷ回路の構成と動作の詳細な説明）
次に、図９を参照しながら適宜図８を参照してＳＷ回路３３Ａの詳細な構成と動作を説明する。
図９は音声用の信号線ＳａＬ，ＳａＲおよび映像用の信号線ＳｖＬ，ＳｖＲのＳＷ回路における切替説明図である。
【００８０】
図９に示すように、コネクタ１５ＡＬ（１５ＡＲ）にケーブル端子５ａが差し込まれると、ケーブル端子５ａの端子１５ａ〜１５ｅに対応するピン１０５ａ〜１０５ｅが端子１５ａ〜１５ｅに挿入され電気的に接続する（図２の（ｂ）参照）。
図９は、コネクタ１５ＡＬに入力側の電源・信号ケーブル５が接続され、コネクタ１５ＡＲに出力側の電源・信号ケーブル５が接続されている場合のＳＷ回路３３Ａの接続状態を示している。
ＳＷ回路３３Ａの映像信号用のＳＷ部３３Ａ（ａ）も音声信号用のＳＷ部３３Ａ（ｂ）も同じ構成である。ＳＷ部３３Ａ（ａ），３３Ａ（ｂ）は多接点選択ＳＷ３３ａ、３３ｂ，３３ｃを有している。
【００８１】
ここで、多接点選択ＳＷ３３ａは、コネクタ１５ＡＬを映像信号増幅部３７（または音声信号増幅部３８）の入力側か出力側に接続を選択接続するためのスイッチであり、多接点選択ＳＷ３３ｂは、コネクタ１５ＡＲを映像信号増幅部３７（または音声信号増幅部３８）の入力側か出力側に接続を選択接続するためのスイッチである。
多接点選択ＳＷ３３ｃは、入力側の信号線を映像信号増幅部３７（または音声信号増幅部３８）の入力側に接続するスイッチである。
コネクタ１５ＡＬが入力の場合は、多接点選択ＳＷ３３ａ、３３ｃは接点番号１を選択し、その場合にコネクタ１５ＡＲに出力側の電源・信号ケーブル５が接続されているときは多接点選択ＳＷ３３ｂも接点番号１が選択される。もしこの場合にコネクタ１５ＡＲに出力側の電源・信号ケーブル５が接続されていないか、または接続されていても通電していないとき（他のＦＰＤ３Ａと接続されていないとき）は、多接点選択ＳＷ３３ｂは接点番号３が選択される。
【００８２】
コネクタ１５ＡＲが入力の場合は、多接点選択ＳＷ３３ｂ、３３ｃは接点番号２を選択し、その場合にコネクタ１５ＡＬに出力側の電源・信号ケーブル５が接続されているときは多接点選択ＳＷ３３ａも接点番号２が選択される。もしこの場合にコネクタ１５ＡＬに出力側の電源・信号ケーブル５が接続されていないか、または接続されていても通電していないとき（他のＦＰＤ３Ａと接続されていないとき）は、多接点選択ＳＷ３３ａは接点番号３が選択される。
本実施形態のコネクタ検出端子１５ａ、ＩＮ／ＯＵＴ検出端子１５ｆ、制御部３２Ａ、ＳＷ回路３３Ａは請求項３および請求項４に記載の切替手段を構成する。
【００８３】
なお、出力用の電源・信号ケーブル５が接続されていないか、接続されていても他端が他のＦＰＤ３Ａに接続されていない場合は、制御部３２Ａは、映像信号増幅部３７、音声信号増幅部３８の増幅機能を停止して出力信号を出さないようにしても良い。
【００８４】
サーバ２とＦＰＤ３Ａとが電源・信号ケーブル５で接続され、サーバ２がオン状態またはスタンバイ状態であれば、サーバ２からＦＰＤ３Ａには電源・信号ケーブル５を通じて電源が供給される。そして、制御部３２Ａには直流電源が供給され、コネクタ１５ＡＬ，１５ＡＲの両方のＩＮ／ＯＵＴ検出端子１５ｆからの信号にもとづき入力側がどちらのコネクタかを検出することができ、出力側の電源・信号ケーブル５が接続されているか、または接続されていても通電していないかどうかを判定できる。
【００８５】
したがって、第１の実施形態と同様に左右のコネクタ１５ＡＬ，１５ＡＲのいずれからも電源や信号の供給を受けることができるとともに、図１０に示すように大きな部屋に複数のＦＰＤ３Ａを配置して１台のサーバ２からの映像や音声の信号を出力させる場合に、図１０の（ａ）に示すようにＦＰＤ３Ａにサーバ２からではなく、（ｂ）に示すようにＦＰＤ３Ａから他のＦＰＤ３Ａに電源と映像および音声信号を供給でき、電源・信号ケーブル５を短くできる。
その結果、１台のサーバ２から複数のＦＰＤ３Ａに電源・信号ケーブル５で給電および映像信号と音声信号送信をする場合に、複数の電源・信号ケーブル５の全長を短くすることができ、高周波ノイズの電磁輻射を抑制できる。
【００８６】
（第２の実施形態の変形例）
図１１は、本実施形態における入出力兼用のコネクタの配置とＳＷ回路の変形例である。
本変形例では、コネクタ１５ＡＬ（１），１５ＡＬ（２），１５ＡＲ（１），１５ＡＲ（２）の４つの入出力兼用のコネクタを有し、左右に２つずつ配置してある。そしてＳＷ回路３３Ａの代わりにＳＷ回路３３Ｂが設けられている。
４つのコネクタ１５ＡＬ（１），１５ＡＬ（２），１５ＡＲ（１），１５ＡＲ（２）の内の任意の１つが入力用としてサーバ２と接続されると、残りの３つの入出力兼用のコネクタから他の最大３つのＦＰＤ３Ａ、またはＦＰＤ３に電源と映像および音声信号を出力することができる。
【００８７】
次に、図１１を参照しながら適宜図８を参照してＳＷ回路３３Ｂの詳細な構成と動作を説明する。
【００８８】
図１１に示すように、コネクタ１５ＡＬ（１），１５ＡＬ（２），１５ＡＲ（１），１５ＡＲ（２）にケーブル端子５ａが差し込まれると、ケーブル端子５ａの端子１５ａ〜１５ｅに対応するピン１０５ａ〜１０５ｅが端子１５ａ〜１５ｅに挿入され電気的に接続する（図２の（ｂ）参照）。
図１１は、コネクタ１５ＡＬ（１）に入力側の電源・信号ケーブル５が接続され、他の３つのコネクタ１５ＡＬ（２），１５ＡＲ（１），１５ＡＲ（２）に出力側の電源・信号ケーブル５が接続されている場合のＳＷ回路３３Ｂの接続状態を示している。
ＳＷ回路３３Ｂの映像信号用のＳＷ部３３Ｂ（ａ）も音声信号用のＳＷ部３３Ｂ（ｂ）も同じ構成である。ＳＷ部３３Ｂ（ａ），３３Ｂ（ｂ）は多接点選択ＳＷ３３ａ、３３ｂ，３３ｃ，３３ｄ，３３ｅを有している。
【００８９】
ここで、多接点選択ＳＷ３３ａは、コネクタ１５ＡＬ（１）を映像信号増幅部３７（または音声信号増幅部３８）の入力側か出力側に接続を選択接続するためのスイッチであり、多接点選択ＳＷ３３ｂは、コネクタ１５ＡＬ（２）を映像信号増幅部３７（または音声信号増幅部３８）の入力側か出力側に接続を選択接続するためのスイッチである。同様に多接点選択ＳＷ３３ｄは、コネクタ１５ＡＲ（１）を映像信号増幅部３７（または音声信号増幅部３８）の入力側か出力側に接続を選択接続するためのスイッチであり、多接点選択ＳＷ３３ｄは、コネクタ１５ＡＲ（２）を映像信号増幅部３７（または音声信号増幅部３８）の入力側か出力側に接続を選択接続するためのスイッチである。
多接点選択ＳＷ３３ｃは、入力側の信号線を映像信号増幅部３７（または音声信号増幅部３８）の入力側に接続するスイッチである。
【００９０】
コネクタ１５ＡＬ（１）が入力の場合は、多接点選択ＳＷ３３ａ、３３ｃは接点番号１を選択する。コネクタ１５ＡＬ（２）が入力の場合は、多接点選択ＳＷ３３ｂ、３３ｃは接点番号２を選択する。コネクタ１５ＡＲ（１）が入力の場合は、多接点選択ＳＷ３３ｄ、３３ｃは接点番号３を選択する。コネクタ１５ＡＲ（２）が入力の場合は、多接点選択ＳＷ３３ｅ、３３ｃは接点番号４を選択する。
【００９１】
入力と判定されたコネクタ以外の他のコネクタにおいて、電源・信号ケーブル５が接続され、通電している場合は、その出力側のコネクタに対応する映像信号増幅部３７（または音声信号増幅部３８）の入力側か出力側に接続を選択接続するための多接点選択ＳＷ（図１１の場合は、多接点選択ＳＷ３３ｂ，ＳＷ３３ｄ，ＳＷ３３ｅ）は、入力と判定されたコネクタに対応する映像信号増幅部３７（または音声信号増幅部３８）の入力側か出力側に接続を選択接続するための多接点選択ＳＷ（図１１の場合は、多接点選択ＳＷ３３ａ）の接点番号と同じ接点番号を選択する。
【００９２】
入力と判定されたコネクタ以外の他のコネクタにおいて、電源・信号ケーブル５が接続されていない場合または接続されていても通電していない場合は、そのコネクタを映像信号増幅部３７（または音声信号増幅部３８）の入力側か出力側に接続を選択接続するための多接点選択ＳＷは接点番号５を選択する。
ＦＰＤ３Ａが給電されていない場合は、多接点選択ＳＷ３３ａ〜３３ｅとも自動的に接点番号５が選択される。
なお、他の出力側のコネクタの全てに出力用の電源・信号ケーブル５が接続されていないか、接続されていても通電していない場合は、制御部３２Ａは、映像信号増幅部３７、音声信号増幅部３８の増幅機能を停止して出力信号を出さないようにしても良い。
【００９３】
サーバ２とＦＰＤ３Ａとが電源・信号ケーブル５で接続され、サーバ２がオン状態またはスタンバイ状態であれば、サーバ２からＦＰＤ３Ａには電源・信号ケーブル５を通じて電源が供給される。そして、制御部３２Ａには直流電源が供給され、コネクタ１５ＡＬ（１），１５ＡＬ（２），１５ＡＲ（１），１５ＡＲ（２）のＩＮ／ＯＵＴ検出端子１５ｆからの信号にもとづき入力側がどのコネクタかを検出することができ、出力側の電源・信号ケーブル５が接続されているか、または接続されていても通電していないかどうかを判定できる。
【００９４】
したがって、第２の実施形態と同様に左右の計４つのコネクタ１５ＡＬ（１），１５ＡＬ（２），１５ＡＲ（１），１５ＡＲ（２）のいずれからも電源や信号の供給を受けることができるとともに、そのＦＰＤ３Ａの左右に他のＦＰＤ３ＡまたはＦＰＤ３を配置して電源と映像および音声信号を供給することができる。
その結果、１台のサーバ２から複数のＦＰＤ３Ａに電源・信号ケーブル５で給電および映像信号と音声信号送信をする場合に、複数の電源・信号ケーブル５の全長を短くすることができ、高周波ノイズの電磁輻射を抑制できる。
【００９５】
なお、本変形例の場合の制御用の信号線Ｓｃは、各コネクタ１５ＡＬ（１），１５ＡＬ（２），１５ＡＲ（１），１５ＡＲ（２）から制御信号回線端末ノード３９に集中して、通信回線をスター型に結線することになる。
【００９６】
（その他の変形例）
第１の実施形態および第２の実施形態では電源・信号ケーブルをＨＤＭＩケーブルを例に説明してきたがそれに限定されるものではない。
図１２に示すように映像信号および音声信号を、光ファイバ５８を内蔵した電源・信号ケーブル５Ａで送信しても良いし、電源供給を１つの電圧だけではなく例えば、２４Ｖと４８Ｖの２組の電源線で供給するようにしても良い。
図１２に示した例では、電源・信号ケーブル５Ａは、２組の撚り線の電源ペア線１４１を内部シールド１４２で被覆し、更にその外から外部シールド１４６で被覆し、光ファイバ５８のケーブルと一体化したものである。
【００９７】
光ファイバケーブル５８は、電源・信号ケーブル５Ａのサーバ２Ｂ側のケーブル端子の内部（破線枠５４Ａで表示した接続部に含まれる）に電気／光信号変換器（以下、Ｅ／Ｏ変換器と称す）５７を、ＦＰＤ３Ｃ側のケーブル端子の内部（破線枠５４Ｂで表示した接続部に含まれる）に光／電気信号変換器（以下、Ｏ／Ｅ変換器と称す）５９を内蔵している。
サーバ２Ｂでは、増幅器５５Ａで増幅した電気信号を出力コネクタに出力し、電源・信号ケーブル５Ａのケーブル端子内のＥ／Ｏ変換器５７で光信号に変換し、光ファイバ５８に出力する。電源・信号ケーブル５ＡのＦＰＤ３Ｃ側のケーブル端子内のＯ／Ｅ変換器５９で光信号から電気信号に変換し、ＦＰ３Ｃに入力する。ＦＰＤ３Ｃでは、受信した電気信号を増幅器５６Ａで増幅した後、分波器６０で映像信号と音声信号に分波する。
【００９８】
このような場合もサーバ２Ｂ側およびＦＰＤ３Ｃ側にも電気信号の高周波が存在するので、信号回路基板の近くにある電源回路基板を通じて電源線に高周波ノイズが漏れ出る。
このような高周波が電源回路基板ののべパターン７１Ｂ、７１Ｃ，７３Ｂ，７３Ｃに洩れこむ部分を内部インピーダンスＺｉで表示し、インピーダンス６３Ａ，６３Ｂとインピーダンス６１Ａ，６１Ｂで表してある。この内部インピーダンスＺｉを高くすることによって高周波の洩れこみを抑制する。その方法としては、信号回路基板との容量結合や磁気結合を小さくしたり、遮蔽を十分行なうことによって出来る。それでも高周波ノイズの電源基板のべたパターン７１Ａ，７１Ｂ，７３Ａ，７３Ｂへの洩れこみは発生する。
【００９９】
そこで第１の実施形態におけるノイズ対策と同様に、サーバ２Ｂ、ＦＰＤ３Ｃそれぞれの２つ電圧の７１Ａ，７１Ｂおよび電源回路基板のベタパターン７３Ａ，７３Ｂを接近させてスリット７５を形成して細い配線パターン７６で接続し、その表面に樹脂抵抗体８１を固定する。べたパターン７１Ａ，７１Ｂおよびべたパターン７３Ａ，７３Ｂを接近させて接続したことにより、第１の実施形態と同様にべたパターン７１Ａ，７１Ｂの間およびべたパターン７３Ａ，７３Ｂの間にインダクタンスＬを挿入することができる。また、樹脂抵抗体８１を固定する高周波に対する損失抵抗Ｒも挿入できる。この損失抵抗ＲとインダクタンスＬを並列接続することにより、直流的に導通状態となるが、高調波成分に対してはインピーダンスωＬの増加により低抵抗の抵抗体８１に共振電流が流れ、エネルギを熱に変換吸収し、ループＬ３’のリターン電流路による高周波ノイズの共振を減衰できる。
【０１００】
また、べたパターン７１Ｂまたはべたパターン７３Ｂのサーバ２Ｂ、ＦＰＤ３Ｃそれぞれの筺体への接地線をフェライトコアを巻き回してＬＲ回路７７，７８を形成し、筺体に接続したり、サーバ２Ｂ、ＦＰＤ３Ｃの筺体を壁または床のグランドＧＮＤ０にアースする外部接地線８３，８５を、フェライトコアを巻き回してＬＲ回路７９，８０を形成してからアースしたりすることにより、第１の実施形態のようにグランドＧＮＤ０と外部シールド１４６を含むループＬ５’のリターン電流路による高周波ノイズの共振を減衰でき、電磁輻射を抑制できる。
【図面の簡単な説明】
【０１０１】
【図１】本発明の第１の実施形態に係る映像表示装置の概略構成ブロック図である。
【図２】（ａ）は第１の実施形態におけるＳＷ回路の接続の切替動作を説明する説明図であり、（ｂ）は入力用のコネクタのコネクタ検出端子の機能を説明する構成図である。
【図３】電源・信号ケーブルの断面を示す斜視図である。
【図４】比較例の映像表示装置におけるリターン電流路と高周波ノイズの電磁輻射の説明図である。
【図５】比較例の映像表示装置におけるリターン電流路と高周波ノイズの電磁輻射の説明図である。
【図６】第１の実施形態の映像表示装置におけるリターン電流路と高周波ノイズの電磁輻射の説明図である。
【図７】（ａ）、（ｂ）は従来の映像表示装置における電源・信号ケーブルの引き回し示す図であり、（ｃ）は（ｂ）の場合の第１の実施形態の映像表示装置における電源・信号ケーブルの引き回しを示す図である。
【図８】本発明の第２の実施形態に係る映像表示装置の概略構成ブロック図である。
【図９】第２の実施形態におけるＳＷ回路の接続の切替動作を説明する説明図である。
【図１０】（ａ）は従来の映像表示装置における電源・信号ケーブルの引き回し示す図であり、（ｂ）は第２の実施形態の映像表示装置における電源・信号ケーブルの引き回し示す図である。
【図１１】第２の実施形態の変形例におけるＳＷ回路の接続の切替動作を説明する説明図である。
【図１２】第１および第２の実施形態の変形例である映像表示装置の電源・信号ケーブルにおいて信号線として光ファイバを用いた場合のリターン電流路と高周波ノイズの電磁輻射の説明図である。
【符号の説明】
【０１０２】
１，１Ａ  映像表示装置
２，２Ｂ  サーバ（画像情報出力装置）
３，３Ａ，３Ｃ  ＦＰＤ
４      ＡＣ電源
５，５Ａ  電源・信号ケーブル
５ａ    ケーブル端子
５ｂ    フェライトコア
６      リモートコントローラ
１１    出力コネクタ
１２    表示部
１３    スピーカ
１４    リモートセンサ
１５Ｌ，１５Ｒ，１５ＡＬ，１５ＡＲ，１５ＡＬ（１），１５ＡＬ（２），１５ＡＲ（１），１５ＡＲ（２）  コネクタ
１５ａ  コネクタ検出端子
１５ｂ  電源端子
１５ｃ  音声信号端子
１５ｄ  映像信号端子
１５ｅ  制御信号端子
１５ｆ  ＩＮ／ＯＵＴ検出端子
２０    ＡＣ／ＤＣ電源
２１    ＤＣ／ＤＣ電源
２２    チューナ部
２３    ビデオ入力部
２４    制御部
２５    映像信号送信部
２６    音声信号送信部
３１    ＤＣ／ＤＣ電源
３２，３２Ａ  制御部
３３，３３Ａ  スイッチ回路
３４    映像信号受信部
３４ａ  メモリ
３５    音声信号受信部
３７    映像信号増幅部
３８    音声信号増幅部
７１，７１Ａ，７１Ｂ，７２，７３，７３Ａ，７３Ｂ，７４  べたパターン（接地部）
７５    スリット（第１の高インピーダンス・低Ｑ化手段）
７６    配線パターン（第１の高インピーダンス・低Ｑ化手段）
７７，７８，７９，８０  ＬＲ回路（第２の高インピーダンス・低Ｑ化手段）
８１    樹脂抵抗体（第１の高インピーダンス・低Ｑ化手段）
８３，８５  外部接地線（接地線）
１４１  電源ペア線
１４３  信号ペア線
１４２，１４４，１４５  内部シールド
１４６  外部シールド
【図１】
2008310088.tif 000003
【図２】
2008310088.tif 000004
【図３】
2008310088.tif 000005
【図４】
2008310088.tif 000006
【図５】
2008310088.tif 000007
【図６】
2008310088.tif 000008
【図７】
2008310088.tif 000009
【図８】
2008310088.tif 000010
【図９】
2008310088.tif 000011
【図１０】
2008310088.tif 000012
【図１１】
2008310088.tif 000013
【図１２】
2008310088.tif 000014